(57)【要約】      （修正有）【課題】シングル及びダブルの二種類に対応できるシングル、ダブル共用野縁クリップを提供する。【解決手段】クリップ本体と、クリップ本体の中央部分から垂下され、両側に設けられた２つの爪部によってシングル野縁と係合するシングル野縁係合片と、クリップ本体の左右両側からシングル野縁係合片と間隔を空けてそれぞれ垂下され、それぞれの外側に設けられた１つの爪部によって共にダブル野縁と係合する２つのダブル野縁係合片とを有する。クリップ本体には各係合片と連なる部分に帯状の凸部を有する凸凹構造を設け、ダブル野縁係合片には折り曲げ用の平板構造を設ける。【選択図】図１
0003175453.tif 000002
【実用新案登録請求の範囲】
【請求項１】
強度を維持する為の凸凹構造を有し、２種類の野縁の幅に合せた取り付け用爪部を持つことで、２種類の野縁に１種類の野縁クリップで対応することが可能となること、を特徴とするシングル、ダブル共用野縁クリップ。
【請求項２】
シングル野縁を使用する際、ダブル野縁用爪部が挿入の邪魔になることから、爪部を曲げることで簡単に挿入出来ること、を特徴とする請求項１記載のシングル、ダブル共用野縁クリップ。
【考案の詳細な説明】
【技術分野】
【０００１】本考案は、２種類の幅の異なる溶融亜鉛メッキ製やステンレス製で出来た野縁を接続する為のクリップで、個々の幅に合わせたクリップを使用すること無く、一種類のクリップで２種類の幅の野縁に対応することが可能な野縁クリップに関するものである。
【背景技術】
【０００２】従来の野縁クリップは、２種類の幅がある野縁に対して、個々の幅に合せた２種類の野縁クリップが必要で、共用が出来ない為に作業性が悪かった。【０００３】その欠点を補う為に、２種類の野縁の幅に合せた嵌め合い溝を設けた、シングル、ダブル共用野縁クリップが本考案によって創案された。
【先行技術文献】
【特許文献】
【０００４】
【特許文献１】特開２０１１−０６３９８３号公報
【特許文献２】特開２００７−２４７２１７号公報
【特許文献３】特開２００４−１３１９２８号公報
【特許文献４】実開  平０７−０４２８２８号公報
【特許文献５】特開  平０６−０２０６５３号公報
【特許文献６】実用新案登録第  ３１２３６９２号
【特許文献７】実用新案登録第  ３０１９９８８号
【特許文献８】実用新案登録第  ３００７９８１号
【考案の概要】
【考案が解決しようとする課題】
【０００５】野縁には２種類の幅があり、共用するには２種類の幅に対応する取り付け用爪（突起）と、強度をもたせる為の加工を施した野縁クリップが本考案により創案された。
【課題を解決する為の手段】
【０００６】上記課題を解決する為には、２種類の野縁幅に合せた取り付け用爪（突起）を設け、さらに強度を維持する為の凸凹加工を施し、組み込みにくい場合は、爪（突起）部を押し曲げて装着する、シングル、ダブル共用野縁クリップ、を特徴とする。
【考案の効果】
【０００７】請求項１に関わる考案は、０・６ｍｍ或いは０．８ｍｍ厚の溶融亜鉛メッキ製やステンレス製で加工されたシングル、ダブル共用野縁クリップは、２種類の異なったサイズの野縁を使用出来るように、取り付け用の切れ込み箇所が多く強度が弱い為、シングル、ダブル共用野縁クリップ本体には凸凹のプレス加工を施し、より強度を高めた構造にすること、を特徴とする。
【０００８】シングル、ダブル共用野縁クリップでは、２種類の野縁サイズに合せて取り付け用爪を２種類取り付け、一つの野縁クリップで２種類の異なったサイズの野縁に対応すること、を特徴とする。
【０００９】請求項２に関する考案は、２種類の取り付け用爪を設けた為、シングル野縁を使用する際にダブル野縁の取り付け用爪が邪魔になる為、容易に折り曲げて野縁を挿入し易い構造にしたこと、を特徴とする。
【図面の簡単な説明】
【００１０】
【図１】シングル、ダブル共用野縁クリップの実施形態図
【図２】野縁を装着した状態を表わす斜視図
【考案を実施するための形態】
【００１１】図１は、シングル、ダブル共用野縁クリップ本体１に、ダブル用野縁取り付け用爪２と、シングル用野縁取り付け用爪３を組み込み、単体で異なったサイズの野縁が取り付けられる構造とする。
【００１２】シングル、ダブル共用野縁クリップ本体１は、異なった２種類の野縁に対応する為、切れ込み７や、Ｍチャンネル（野縁）用の溝４などが多く、また材質の多くが０．６ｍｍか０．８ｍｍの溶融亜鉛メッキ製材で出来ている為、強度を保つにはプレス加工による補強用凸部５と補強用凹部６を必要とする。
【００１３】シングル、ダブル共用野縁クリップ本体１上部には、野縁を固定する為の係り止め用折り曲げ部８がある。野縁を取り付け後、係り止め用折り曲げ部８を矢印ａの方向に折り込めば、野縁は簡単に固定される。
【００１４】シングル野縁をシングル用爪３に取り付けようとすると、ダブル用爪２が邪魔になるが、挿入用折り曲げ部９の箇所を矢印ｂの方向に折り曲げると容易に挿入することが出来る。
【００１５】図２は、ダブル野縁ｃとシングル野縁ｄを取り付けた状態を表わした斜図である。
【００１６】ダブル野縁ｃは折り曲げ部８で上部を固定されると共に、下部はシングル用爪３で支えられ完全に装着される。
【００１６】シングル野縁ｄは、ダブル野縁ｃとシングル用爪３の隙間に挟まれると共に、、シングル野縁ｄの折り曲げ部１０がＭチャンネル用溝４に嵌り固定される。
【符号の説明】
【００１７】１    シングル、ダブル共用野縁クリップ本体
２    ダブル用爪
３    シングル用爪
４    Ｍチャンネル用溝
５    補強用凸部
６    補強用凹部
７    切れ込み
８    係り止め用折り曲げ部
９    挿入用折り曲げ部
１０  折り曲げ部
ａ    矢印
ｂ    矢印
ｃ    ダブル野縁
ｄ    シングル野縁（Ｍチャンネル）
【図１】
0003175453.tif 000003
【図２】
0003175453.tif 000004
【手続補正書】
【提出日】平成23年11月21日(2011.11.21)
【手続補正１】
【補正対象書類名】実用新案登録請求の範囲
【補正対象項目名】全文
【補正方法】変更
【補正の内容】
【実用新案登録請求の範囲】
【請求項１】
２種類の野縁を一つの野縁クリップで共用出来るように２種類の野縁幅に合わせた取り付け用爪部を有し強度を保つために凸凹構造を施したこと、を特徴とするシングル、ダブル共用野縁クリップ。
【請求項２】
シングル野縁を使用する際、ダブル用爪部が挿入の邪魔になることから、爪部を折り曲げて簡単に挿入させる方法として、折り曲げ易くするために折り曲げ箇所には強度用の凸凹構造から折り曲げ易い平板構造にし、爪部を曲げることで簡単に挿入出来ること、を特徴とする請求項１記載のシングル、ダブル共用野縁クリップ。
【手続補正書】
【提出日】平成24年2月8日(2012.2.8)
【手続補正１】
【補正対象書類名】実用新案登録請求の範囲
【補正対象項目名】全文
【補正方法】変更
【補正の内容】
【実用新案登録請求の範囲】
【請求項１】
クリップ本体と、クリップ本体の中央部分から垂下され、両側に設けられた２つの爪部によってシングル野縁と係合するシングル野縁係合片と、クリップ本体の左右両側からシングル野縁係合片と間隔を空けてそれぞれ垂下され、それぞれの外側に設けられた１つの爪部によって共にダブル野縁と係合する２つのダブル野縁係合片とを有し、クリップ本体には各係合片と連なる部分に帯状の凸部を有する凸凹構造を設けたこと、を特徴とするシングル、ダブル共用野縁クリップ。
【請求項２】
前記ダブル野縁係合片には折り曲げ用の平板構造を設けたこと、を特徴とする請求項１記載のシングル、ダブル共用野縁クリップ。